(57)【要約】【課題】緩衝部材を別途用意する必要がなく、緩衝部材が一体化された包装箱を提供することを目的とする。【解決手段】第２壁部１２とトナーカートリッジ２との間には第１緩衝部７１が介在する。また、第１緩衝部７１は、第１緩衝用フラップ４１の区画部４１ｂと第２壁部１２との間に空間を形成する。このため、衝撃等が第２壁部１２に加わったときには、第１緩衝部７１及び第２壁部１２がその空間で容易に変形して、衝撃等が第１緩衝部７１及び第２壁部１２で効果的に吸収されて弱められ、衝撃等がトナーカートリッジ２に直接作用することはなく、トナーカートリッジ２が確実に保護される。【選択図】図５
2014231388.tif 000002
【特許請求の範囲】
【請求項１】
被収容物を囲む複数の壁部を備えた包装箱であって、
前記各壁部のいずれかに連接された緩衝用フラップを備え、
前記緩衝用フラップを前記包装箱の内側に折り込むことにより前記被収容物を保護する緩衝部を形成したことを特徴とする包装箱。
【請求項２】
請求項１に記載の包装箱であって、
前記緩衝部は、前記包装箱の内側に折り込まれた前記緩衝用フラップと該緩衝用フラップが連接された前記壁部との間に空間を形成することを特徴とする包装箱。
【請求項３】
請求項１に記載の包装箱であって、
前記緩衝用フラップが連接された前記壁部に対向する他の壁部に連接された押圧用フラップを備え、
前記押圧用フラップを前記包装箱の内側に折り込むことにより形成されて、前記被収容物を前記緩衝部の側に押圧する押圧部を設けたことを特徴とする包装箱。
【請求項４】
請求項３に記載の包装箱であって、
前記押圧部は、前記被収容物を保持することを特徴とする包装箱。
【請求項５】
請求項１から４のいずれか１つに記載の包装箱であって、
前記各壁部のいずれかに連接された蓋部を備え、
前記蓋部が閉じられた状態では、前記蓋部により前記緩衝部が押えられることを特徴とする包装箱。
【請求項６】
請求項１に記載の包装箱であって、
前記各壁部のいずれかに連接された蓋部を備え、
前記蓋部が連接された前記壁部に対向する別の壁部に前記緩衝用フラップを連接して、前記緩衝用フラップを前記包装箱の内側に折り込むことにより前記被収容物を保護する緩衝部を形成し、前記蓋部が閉じられた状態では、前記蓋部により前記緩衝部が押えられることを特徴とする包装箱。
【請求項７】
請求項６に記載の包装箱であって、
前記緩衝部は、前記包装箱の内側に折り込まれた前記緩衝用フラップと閉じられた前記蓋部との間に空間を形成することを特徴とする包装箱。
【請求項８】
請求項１から７のいずれか１つに記載の包装箱であって、
前記緩衝用フラップを前記各壁部のいずれかに複数並べて連接し、
前記各緩衝用フラップを前記包装箱の内側に折り込むことにより前記被収容物を保護する複数の緩衝部を形成したことを特徴とする包装箱。
【請求項９】
請求項１から８のいずれか１つに記載の包装箱であって、
前記被収容物は、外部に露呈したギア又はシャッターを有するトナーカートリッジであり、
前記緩衝部を前記ギア又はシャッターの部位に設けたことを特徴とする包装箱。
【発明の詳細な説明】
【技術分野】
【０００１】
本発明は、トナーカートリッジ等の被収容物を収容する包装箱に関する。
【背景技術】
【０００２】
この種の包装箱では、被収容物を保護するために、緩衝部材を用いることがある。例えば、トナーカートリッジは、カートリッジ本体の外側に設けられた駆動用のギアやシャッター等を有しているため、トナーカートリッジを包装箱に収容するだけではなく、緩衝部材によりギアやシャッター等を保護する必要がある。
【０００３】
特許文献１〜４では、トナーカートリッジの両端部にそれぞれの緩衝部材を嵌合させて、トナーカートリッジを各緩衝部材と共に包装箱に収納しており、衝撃等が包装箱に作用しても、衝撃等が各緩衝部材で吸収されてトナーカートリッジに殆ど及ばないようにしている。緩衝部材としては、パルプモールドや発泡スチロールなどの成形品、あるいはダンボールを別途組み立てたもの等が用いられることが多い。
【先行技術文献】
【特許文献】
【０００４】
【特許文献１】特開２００５−２８０７３０号公報
【特許文献２】特開２０１２−１６６８２２号公報
【特許文献３】特開２０１０−４７３０９号公報
【特許文献４】特開２００４−２９９７１３号公報
【発明の概要】
【発明が解決しようとする課題】
【０００５】
しかしながら、包装箱とは別に、パルプモールドや発泡スチロールなどの成形品を緩衝部材として用いる場合は、部材の種類や個数が多くなり、コストが高くなる。また、ダンボールを別途組み立てたものを緩衝部材として用いる場合は、コストを抑えることができても、部材の種類や個数が低減されるわけではない。一方、近年、資源の節減や廃棄物の低減が促進されつつあるので、包装箱についても部材の種類や個数を低減させるのが望ましい。
【０００６】
そこで、本発明は、上記従来の問題点に鑑みなされたものであり、緩衝部材を別途用意する必要がなく、緩衝部材が一体化された包装箱を提供することを目的とする。
【課題を解決するための手段】
【０００７】
上記課題を解決するために、本発明の包装箱は、被収容物を囲む複数の壁部を備えた包装箱であって、前記各壁部のいずれかに連接された緩衝用フラップを備え、前記緩衝用フラップを前記包装箱の内側に折り込むことにより前記被収容物を保護する緩衝部を形成している。
【０００８】
このような本発明の包装箱では、複数の壁部により被収容物を囲んで収容し、緩衝用フラップを包装箱の内側に折り込むことにより被収容物を保護する緩衝部を形成している。衝撃等が壁部に加わったときには、緩衝部が壁部と共に変形して、衝撃等が緩衝部及び壁部で吸収されて弱められ、衝撃等が被収容物に直接作用することはなく、被収容物が保護される。また、緩衝用フラップが壁部に連接されたものであるため、緩衝部材を別途用意する必要がなく、部材の種類や個数を低減して、コストを抑え、資源の節減や廃棄物の低減を図ることができる。
【０００９】
また、本発明の包装箱においては、前記緩衝部は、前記包装箱の内側に折り込まれた前記緩衝用フラップと該緩衝用フラップが連接された前記壁部との間に空間を形成している。
【００１０】
この場合は、被収容物と壁部との間に空間が介在するので、衝撃等が壁部に加わったときには、壁部が空間で容易に変形して、衝撃等が壁部で効果的に吸収されて弱められ、衝撃等が被収容物に直接作用することはなく、被収容物がより確実に保護される。
【００１１】
更に、本発明の包装箱においては、前記緩衝用フラップが連接された前記壁部に対向する他の壁部に連接された押圧用フラップを備え、前記押圧用フラップを前記包装箱の内側に折り込むことにより形成されて、前記被収容物を前記緩衝部の側に押圧する押圧部を設けている。
【００１２】
この場合は、緩衝部と押圧部との間に被収容物が挟み込まれるので、被収容物がガタツクことなく支持される。
【００１３】
また、本発明の包装箱においては、前記押圧部は、前記被収容物を保持している。
【００１４】
この場合は、被収容物がよりガタツキなく保持される。
【００１５】
更に、本発明の包装箱においては、前記各壁部のいずれかに連接された蓋部を備え、前記蓋部が閉じられた状態では、前記蓋部により前記緩衝部が押えられている。
【００１６】
このように蓋部により緩衝部が押えられると、包装箱の内側における緩衝部の折り込み形状が保たれて、緩衝部が変形することはなく、緩衝部の機能を維持することができる。
【００１７】
また、本発明の包装箱においては、前記各壁部のいずれかに連接された蓋部を備え、前記蓋部が連接された前記壁部に対向する別の壁部に前記緩衝用フラップを連接して、前記緩衝用フラップを前記包装箱の内側に折り込むことにより前記被収容物を保護する緩衝部を形成し、前記蓋部が閉じられた状態では、前記蓋部により前記緩衝部が押えられている。
【００１８】
このように蓋部を壁部に連接し、緩衝用フラップを別の壁部に連接して、緩衝用フラップを折り込んで緩衝部を形成し、蓋部により緩衝部を押えてもよい。衝撃等が壁部に加わったときには、緩衝部が蓋部と共に変形して、衝撃等が緩衝部及び蓋部で吸収されて弱められ、衝撃等が被収容物に直接作用することはなく、被収容物が保護される。また、蓋部により緩衝部が押えられると、包装箱の内側における緩衝部の折り込み形状が保たれて、緩衝部が変形することはなく、緩衝部の機能を維持することができる。
【００１９】
更に、本発明の包装箱においては、前記緩衝部は、前記包装箱の内側に折り込まれた前記緩衝用フラップと閉じられた前記蓋部との間に空間を形成している。
【００２０】
この場合は、被収容物と蓋部との間に空間が介在するので、衝撃等が蓋部に加わったときには、蓋部が空間で容易に変形して、衝撃等が蓋部で効果的に吸収されて弱められ、衝撃等が被収容物に直接作用することはなく、被収容物がより確実に保護される。
【００２１】
また、本発明の包装箱においては、前記緩衝用フラップを前記各壁部のいずれかに複数並べて連接し、前記各緩衝用フラップを前記包装箱の内側に折り込むことにより前記被収容物を保護する複数の緩衝部を形成している。
【００２２】
この場合は、各緩衝部を被収容物の複数箇所に接触させて、被収容物をより安定的に支持することができる。特に、複雑な形状の被収容物を収容する場合は、単一の緩衝部を被収容物の一箇所に接触させるよりも複数の緩衝部を被収容物の複数箇所に接触させた方が、被収容物を安定的に支持することができる。
【００２３】
更に、本発明の包装箱においては、前記被収容物は、外部に露呈したギア又はシャッターを有するトナーカートリッジであり、前記緩衝部を前記ギア又はシャッターの部位に設けている。
【００２４】
画像形成装置に着脱自在に装着されるトナーカートリッジには、画像形成装置からの駆動力を受けるギアやシャッターが設けられており、このギアやシャッターが損傷すると、トナーカートリッジの機能が損なわれる。このため、緩衝部をギアやシャッターの部位に設けて、ギアやシャッターを保護するのが望ましい。
【発明の効果】
【００２５】
本発明の包装箱では、複数の壁部により被収容物を囲んで収容し、緩衝用フラップを包装箱の内側に折り込むことにより被収容物を保護する緩衝部を形成している。衝撃等が壁部に加わったときには、緩衝部が壁部と共に変形して、衝撃等が緩衝部及び壁部で吸収されて弱められ、衝撃等が被収容物に直接作用することはなく、被収容物が保護される。また、緩衝用フラップが壁部に連接されたものであるため、緩衝部材を別途用意する必要がなく、部材の種類や個数を低減して、コストを抑え、資源の節減や廃棄物の低減を図ることができる。
【図面の簡単な説明】
【００２６】
【図１】本発明の包装箱の一実施形態を平面状に展開して示す展開図である。
【図２】図１の包装箱に収容されるトナーカートリッジを示す斜視図である。
【図３】図１の包装箱の組み立て過程を示す斜視図である。
【図４】図３に引き続く包装箱の組み立て過程を示す斜視図である。
【図５】包装箱を縦手方向に破断して示す断面図である。
【図６】図４に引き続く包装箱の組み立て過程を示す斜視図である。
【図７】図６に引き続く包装箱の組み立て過程を示す斜視図である。
【図８】図７に引き続く包装箱の組み立て過程を示す斜視図である。
【図９】包装箱を第２緩衝部の部位で横方向に破断して示す断面図である。
【図１０】図８に引き続く包装箱の組み立て過程を示す斜視図である。
【図１１】図１０に引き続く包装箱の組み立て過程を示す斜視図である。
【図１２】包装箱を第３緩衝部の部位で横方向に破断して示す断面図である。
【図１３】包装箱を第４緩衝部の部位で横方向に破断して示す断面図である。
【図１４】図１１に引き続く包装箱の組み立て過程を示す斜視図である。
【発明を実施するための形態】
【００２７】
以下、本発明の実施形態を添付図面を参照して詳細に説明する。
【００２８】
図１は、本発明の包装箱の一実施形態を平面状に展開して示す展開図である。図１に示すように本実施形態の包装箱１は、第１乃至第４壁部１１〜１４を各折り目線１５を介して順次連接し、第１壁部１１の側縁に折り目線１６を介して継代片１７を連接し、第１乃至第４壁部１１〜１４の下縁に折り目線１８を介してそれぞれの底片２１〜２４を連接している。
【００２９】
また、第１壁部１１の上縁に折り目線２５を介して蓋部２６を連接し、蓋部２６の上縁に折り目線２７を介して差し込み片２８を連接し、折り目線２７の中央に差し込み口２９を形成している。
【００３０】
更に、第２壁部１２の上縁に折り目線３１を介して第１緩衝用フラップ４１を連接し、第１緩衝用フラップ４１に２本の折り目線３２を形成している。
【００３１】
また、第３壁部１３の上縁に折り目線３３を介して第２乃至第４緩衝用フラップ４２〜４４を連接している。更に、第２緩衝用フラップ４２に２本の折り目線３４を形成している。また、第３及び第４緩衝用フラップ４３、４４を折り目線３３に隣接する共有領域４７で一体化し、共有領域４７に折れ目線３９を形成し、第３緩衝用フラップ４３に２本の折り目線３５を形成し、第４緩衝用フラップ４４に２本の折れ目線３６を形成している。更に、折り目線３３の中央に差し込み片４５及び差し込み口４６を形成している。また、差し込み片４５の先端及び両縁に切り込み５７を形成し、第３壁部１３の内側に及ぶ切り込み５７の両側終端を結ぶように折れ目線５８を形成している。
【００３２】
更に、第２及び第３緩衝用フラップ４２、４３に隣接するスペースに第１補足緩衝片５１を形成し、第１補足緩衝片５１と第２及び第３緩衝用フラップ４２、４３との間に切り取り線４８を形成している。また、第３及び第４緩衝用フラップ４３、４４が互いに離間したスペースに第２補足緩衝片５２を形成し、第２補足緩衝片５２と第３及び第４緩衝用フラップ４３、４４との間に切り取り線４９を形成している。更に、第１補足緩衝片５１に２本の折り目線５３を形成し、第２補足緩衝片５２に４本の折り目線５４を形成している。
【００３３】
また、第４壁部１４の上縁に折り目線３７を介して押圧緩衝用フラップ５５を連接し、押圧緩衝用フラップ５５に２本の折り目線３８ａ、３８ｂを形成し、一方の折り目線３８ｂの２箇所に小孔５６を形成している。
【００３４】
この平面状に展開された包装箱１は、１枚のダンボールを該展開された包装箱１の輪郭に沿って裁断し、各折り目線に沿ってダンボールを潰し、第１及び第２補足緩衝片５１、５２の切り取り線４８、４９を形成したものである。各切り取り線４８、４９は、例えばミシン目状に切り込みを入れて形成されたものであり、包装箱１の組み立てのときには、手によって第１及び第２補足緩衝片５１、５２を容易に切り離すことができるようにされている。
【００３５】
このような包装箱１は、図２に示すようなトナーカートリッジ２を収容して保護するために用いられる。このトナーカートリッジ２は、電子写真方式の画像形成装置で用いられるトナーを収納しており、画像形成装置に着脱自在に装着され、装着された状態で駆動されて、トナーを画像形成装置に供給する。このトナーカートリッジ２は、画像形成装置からの駆動力を受けるギアユニット６１、トナーを画像形成装置へと供給する供給口に設けられた供給口シャッター（図示せず）、及び画像形成装置からの廃トナーを受け入れて回収する回収口に設けられた回収口シャッター６３等を有している。
【００３６】
これらのギアユニット６１、供給口シャッター（図示せず）、及び回収口シャッター６３等は、トナーカートリッジ２の本体外側に設けられて露出しており、それらが衝撃等を受けて損傷すると、トナーカートリッジ２の機能が損なわれる。また、供給口シャッターが衝撃等を受けて開くと、トナーカートリッジ２の内部のトナーが漏れ出す。このため、包装箱１には、ギアユニット６１、供給口シャッター、及び回収口シャッター６３等を保護するための複数の緩衝部が設けられている。これらの緩衝部は、包装箱１を組み立てるときに包装箱１と一体的に形成されるものである。
【００３７】
次に、本実施形態の包装箱１を組み立てる手順を説明する。まず、第１及び第２補足緩衝片５１、５２を各切り取り線４８、４９で切り離しておく。そして、図３に示すように第１乃至第４壁部１１〜１４を各折り目線１５で折り曲げ、継代片１７を折り目線１６で折り曲げて、継代片１７を第４壁部１４の内側面に固定し、第１乃至第４壁部１１〜１４を矩形の筒状にする。更に、各底片２１〜２４を折り目線１８で折り曲げて、各底片２１〜２４の間の隙間に該各底片２１〜２４の差し込み片２１ａ〜２４ａを差し込み、各底片２１〜２４を組み合わせて、包装箱１の底を形成する。
【００３８】
引き続いて、図４に示すように第１緩衝用フラップ４１を折り目線３１で包装箱１の内側に折り込み、第１緩衝用フラップ４１を２本の折り目線３２で山折にして、図５に示すような第１緩衝部７１を形成する。このとき、第１緩衝用フラップ４１が２本の折り目線３２で３つの区画部４１ａ、４１ｂ、４１ｃに区画され、区画部４１ａが包装箱１の底に重なり、区画部４１ｂが第２壁部１２と対向して、区画部４１ｂと第２壁部１２との間に空間が形成され、区画部４１ｃが第２壁部１２の上縁と同一高さとなる。
【００３９】
また、図４に示すように押圧緩衝用フラップ５５を、折り目線３７で山折にし、折り目線３８ａで谷折にし、折り目線３８ｂで山折にして、各折り目線３７、３８ａ、３８ｂに折り目をつけておく。
【００４０】
一方、図６に示すように第１補足緩衝片５１を２本の折り目線５３で折り曲げて、第１補足緩衝片５１を包装箱１の底に重ね合わせ、第１補足緩衝片５１の各折り目線５３を第２壁部１２の方に向けて、第１補足緩衝片５１を第４壁部１４に隣接させる。また、図２に示すように第２補足緩衝片５２を４本の折り目線５４で折り曲げて、第２補足緩衝片５２をトナーカートリッジ２の側部に形成されている溝に挟み込む。
【００４１】
この後、図５及び図７に示すようにトナーカートリッジ２を包装箱１に入れて、トナーカートリッジ２の一端を第１緩衝用フラップ４１の区画部４１ｂに当接させ、またトナーカートリッジ２の側部の溝に挟み込まれた第２補足緩衝片５２を第３壁部１３に当接させる。更に、押圧緩衝用フラップ５５を折り目線３７で包装箱１の内側に折り込んで、押圧緩衝用フラップ５５の山折にされた折り目線３８ｂの部位をトナーカートリッジ２の他端に形成されている凹所６５（図２に示す）に嵌合させる。このとき、押圧緩衝用フラップ５５が２本の折り目線３８ａ、３８ｂで３つの区画部５５ａ、５５ｂ、５５ｃに区画され、区画部５５ｃが第４壁部１４に重なり、各区画部５５ａ、５５ｂが第１壁部１１と第３壁部１３との間に挟み込まれ、これにより押圧緩衝部７５が形成される。また、第１補足緩衝片５１を第４壁部１４とトナーカートリッジ２の他端との間に挟み込ませる。この状態で、トナーカートリッジ２は、包装箱１の底の上に置かれ、第１乃至第４壁部１１〜１４により囲まれて収納される。
【００４２】
次に、図７及び図８に示すように第２緩衝用フラップ４２を折り目線３３で包装箱１の内側に折り込み、第２緩衝用フラップ４２を２本の折り目線３４で山折にして、図９に示すような第２緩衝部７２を形成し、第２緩衝部７２をトナーカートリッジ２の側部に当接させる。このとき、第２緩衝用フラップ４２が２本の折り目線３４で３つの区画部４２ａ、４２ｂ、４２ｃに区画され、区画部４２ａの先端が第３壁部１３の内側面に当接し、区画部４２ｂが第３壁部１３と対向して、区画部４２ｂと第３壁部１３との間に空間が形成され、区画部４２ｃが第３壁部１３の上縁と同一高さとなる。
【００４３】
また、図１０及び図１１に示すように第３及び第４緩衝用フラップ４３、４４の共有領域４７を折り目線３３で包装箱１の内側に折り込み、共有領域４７を折り目線３９で山折にし、第３緩衝用フラップ４３を２本の折り目線３５で谷折にして、図１２に示すような第３緩衝部７３を形成し、更に第４緩衝用フラップ４４を２本の折り目線３６で山折にして、図１３に示すような第４緩衝部７４を形成する。このとき、図１０及び図１１に示すように共有領域４７が折り目線３９で２つの区画部４７ａ、４７ｂに区画され、区画部４７ａが第１壁部１１と第３壁部１３との間の空間を仕切り、区画部４７ｂが第３壁部１３の上縁と同一高さとなる。また、第３緩衝用フラップ４３が一方の折り目線３５で２つの区画部４３ａ、４３ｂに区画され、区画部４３ａが第１壁部１１に当接し、区画部４３ｂがトナーカートリッジ２の上面に当接する。更に、第４緩衝用フラップ４４が一方の折り目線３６で２つの区画部４４ａ、４４ｂに区画され、区画部４４ａが第３壁部１３に当接し、区画部４４ｂがトナーカートリッジ２の上面に当接する。従って、第３緩衝部７３及び第４緩衝部７４がトナーカートリッジ２の上面の互いに異なるそれぞれの箇所に当接する。
【００４４】
引き続いて、図１０及び図１１に示すように差し込み片４５を切り込み５７で起こして、差し込み片４５を折り目線５８で谷折にし、差し込み片４５を折り目線３３で山折にする。
【００４５】
更に、図１１及び図１４に示すように蓋部２６を折り目線２５で山折にして、差し込み片２８を折り目線２７で山折にし、差し込み片２８を第３壁部１３側の差し込み口４６に差し込み、第３壁部１３側の差し込み片４５を第１壁部１１側の差し込み口２９に差し込んで、蓋部２６を閉じる。このとき、図１２及び図１３に示すように第３緩衝用フラップ４３の区画部４３ｂと蓋部２６との間に空間が形成され、また第４緩衝用フラップ４４の区画部４４ｂと蓋部２６との間にも空間が形成される。
【００４６】
また、図５、図９、図１２、及び図１３に示すように閉じられた蓋部２６により、第１緩衝用フラップ４１の区画部４１ｃ、第２緩衝用フラップ４２の区画部４２ｃ、及び第３及び第４緩衝用フラップ４３、４４の共有領域４７の区画部４７ｂが直接押えられて、第１緩衝用フラップ４１、第２緩衝用フラップ４２、第３緩衝用フラップ４３、及び第４緩衝用フラップ４４のそれぞれの折り込み形状が保持される。更に、押圧緩衝用フラップ５５の折り目線３８ｂの部位がトナーカートリッジ２の他端の凹所６５に嵌合されて、押圧緩衝用フラップ５５の折り込み形状が保持される。
【００４７】
このような包装箱１においては、第２壁部１２側の第１緩衝部７１と第４壁部１４側の押圧緩衝部７５との間にトナーカートリッジ２が配置された状態で、押圧緩衝用フラップ５５の山折にされた折り目線３８ｂの部位がトナーカートリッジ２の他端の凹所６５に嵌合されていることから、押圧緩衝用フラップ５５が各折り目線３７、３８ａで平面状に復元しようとする復元力によりトナーカートリッジ２が第２壁部１２側の第１緩衝部７１に押圧され、第１緩衝部７１と押圧緩衝部７５との間にトナーカートリッジ２が挟み込まれる。あるいは、弾性変形した押圧緩衝用フラップ５５及び第１緩衝用フラップ４１の復元力により第１緩衝部７１と押圧緩衝部７５との間にトナーカートリッジ２が挟み込まれる。また、第１補足緩衝片５１が第４壁部１４とトナーカートリッジ２の他端との間に挟み込まれている。このため、トナーカートリッジ２がその長手方向でガタツクことなく支持される。
【００４８】
更に、第３及び第４緩衝部７３、７４がトナーカートリッジ２の上面に当接している。このため、トナーカートリッジ２が上下方向でガタツクことなく支持される。また、包装箱１を上方から視たときに、第３緩衝用フラップ４３の区画部４３ｂ（第３緩衝部７３）がトナーカートリッジ２の横方向の片側半分を押え、第４緩衝用フラップ４４の区画部４４ｂ（第４緩衝部７４）がトナーカートリッジ２の横方向の他の片側半分を押えているので、トナーカートリッジ２が包装箱１の内側で転がることなく安定的に支持される。
【００４９】
また、第２緩衝部７２がトナーカートリッジ２の側部に当接し、かつトナーカートリッジ２の側部の溝に挟み込まれた第２補足緩衝片５２が第３壁部１３に当接しているので、トナーカートリッジ２が横方向でガタツクことなく支持される。
【００５０】
従って、トナーカートリッジ２は、包装箱１の内側で長手方向、上下方向、及び横方向でガタツクことなく、また転がることなく安定的に支持される。
【００５１】
また、閉じられた蓋部２６により、第１緩衝用フラップ４１、第２緩衝用フラップ４２、第３緩衝用フラップ４３、及び第４緩衝用フラップ４４のそれぞれの折り込み形状が保持され、また押圧緩衝用フラップ５５の折り目線３８ｂの部位が凹所６５に嵌合されて、押圧緩衝用フラップ５５の折り込み形状が保持されているので、トナーカートリッジ２の安定的な支持が維持される。
【００５２】
一方、第２壁部１２とトナーカートリッジ２との間には第１緩衝部７１が介在するので、衝撃等が第２壁部１２に加わったときには、第１緩衝部７１が第２壁部１２と共に変形して、衝撃等が第１緩衝部７１及び第２壁部１２で吸収されて弱められ、衝撃等がトナーカートリッジ２に直接作用することはなく、トナーカートリッジ２が保護される。
【００５３】
更に、第１緩衝部７１は、第１緩衝用フラップ４１の区画部４１ｂと第２壁部１２との間に空間を形成していることから、第１緩衝部７１及び第２壁部１２がその空間で容易に変形して、衝撃等が第１緩衝部７１及び第２壁部１２で効果的に吸収されて弱められ、衝撃等がトナーカートリッジ２に直接作用することはなく、トナーカートリッジ２がより確実に保護される。
【００５４】
また、第４壁部１４とトナーカートリッジ２との間には押圧緩衝部７５が介在し、第４壁部１４とトナーカートリッジ２との間には空間が形成されていることから、衝撃等が第４壁部１４に加わったときには、押圧緩衝部７５が第４壁部１４と共にその空間で容易に変形して、衝撃等が押圧緩衝部７５及び第４壁部１４で効果的に吸収されて弱められ、トナーカートリッジ２が保護される。特に、第４壁部１４に対向するトナーカートリッジ２の端部にはギアユニット６１が設けられているので、押圧緩衝部７５により第４壁部１４とトナーカートリッジ２との間の空間が格別に広くされて、ギアユニット６１が効果的に保護されるようにしている。従って、押圧緩衝部７５は、トナーカートリッジ２を押圧して保持するだけではなく、緩衝部としての機能も果たす。
【００５５】
更に、第３壁部１３とトナーカートリッジ２の側部（回収口シャッター６３）との間には第２緩衝部７２が介在し、第２緩衝用フラップ４２の区画部４２ｂと第３壁部１３との間には空間が形成されている。また、押圧緩衝用フラップ５５の各区画部５５ａ、５５ｂ（押圧緩衝部７５）が第１壁部１１と第３壁部１３との間に挟み込まれている。このため、衝撃等が第１壁部１１や第３壁部１３に加わったときには、第２緩衝部７２、押圧緩衝部７５、第１壁部１１、及び第３壁部１３が変形して、衝撃等が弱められ、トナーカートリッジ２が保護される。
【００５６】
また、蓋部２６とトナーカートリッジ２の上面との間には第３及び第４緩衝部７３、７４が介在し、第３緩衝用フラップ４３の区画部４３ｂと蓋部２６との間に空間が形成され、第４緩衝用フラップ４４の区画部４４ｂと蓋部２６との間にも空間が形成されているので、衝撃等が蓋部２６に加わったときには、第３緩衝部７３、第４緩衝部７４、及び蓋部２６がそれらの空間で容易に変形して、衝撃等が弱められ、トナーカートリッジ２が保護される。
【００５７】
従って、衝撃等が第２壁部１２や第４壁部１４に加わったときには、衝撃等が第１緩衝部７１、押圧緩衝部７５、第２壁部１２、及び第４壁部１４で吸収されて弱められ、また衝撃等が第１壁部１１や第３壁部１３に加わったときには、衝撃等が第２緩衝部７２、押圧緩衝部７５、第１壁部１１、及び第３壁部１３で吸収されて弱められ、更に衝撃等が蓋部２６に加わったときには、衝撃等が第３緩衝部７３、第４緩衝部７４、及び蓋部２６で吸収されて弱められる。これにより、トナーカートリッジ２が良好に保護される。
【００５８】
また、閉じられた蓋部２６により、第１緩衝用フラップ４１、第２緩衝用フラップ４２、第３緩衝用フラップ４３、第４緩衝用フラップ４４のそれぞれの折り込み形状が保持され、また押圧緩衝用フラップ５５の折り目線３８ｂの部位が凹所６５に嵌合されて、押圧緩衝用フラップ５５の折り込み形状が保持され、それらが変形することはないので、第１緩衝部７１、第２緩衝部７２、第３緩衝部、第４緩衝部７４、及び押圧緩衝部７５による衝撃等の吸収機能を維持することができる。
【００５９】
しかも、第１乃至第４緩衝部７１〜７４及び押圧緩衝部７５は、第１乃至第４壁部１１〜１４に連接された第１乃至第４緩衝用フラップ４１〜４４及び押圧緩衝用フラップ５５を包装箱１の内側に折り込むことにより形成されたものである。また、第１及び第２補足緩衝片５１、５２は、平面状に展開された包装箱１の空きスペースを利用して形成されたものである。このため、パルプモールドや発泡スチロールなどの成形品を緩衝部材として用いたり、ダンボールを別途組み立てたものを緩衝部材として用いたりする必要がなく、コストを抑えることができ、資源の節減や廃棄物の低減を実現することができ、リサイクルも容易となり、延いては自然環境の保全にも役立つ。
【００６０】
このように本実施形態の包装箱１では、第１乃至第４壁部１１〜１４に連接された第１乃至第４緩衝用フラップ４１〜４４及び押圧緩衝用フラップ５５を包装箱１の内側に折り込んで、第１乃至第４緩衝部７１〜７４及び押圧緩衝部７５を形成し、第１乃至第４緩衝部７１〜７４及び押圧緩衝部７５によりトナーカートリッジ２を効果的に支持及び保護することができ、格別な緩衝部材を用いる必要がなく、資源の節減や廃棄物の低減を実現することができる。
【００６１】
尚、上記実施形態では、第１乃至第４壁部１１〜１４に連接された第１乃至第４緩衝用フラップ４１〜４４及び押圧緩衝用フラップ５５を例示しているが、第１乃至第４緩衝用フラップ４１〜４４及び押圧緩衝用フラップ５５を適宜選択的に組み合わせて用いたり、第１乃至第４緩衝用フラップ４１〜４４及び押圧緩衝用フラップ５５を単独で用いたりしても構わない。また、トナーカートリッジ２だけではなく、他の種類の被収容物を収容するために、本発明の包装箱を適用しても構わない。
【００６２】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【００６３】
１  包装箱
２  トナーカートリッジ
１１〜１４  第１乃至第４壁部
１５、１６、１８、２５、２７、３１〜３７、３８ａ、３８ｂ、３９、５３、５４  折り目線
１７  継代片
２１〜２４  底片
２６  蓋部
２８、４５  差し込み片
２９、４６  差し込み口
４１〜４４  第１乃至第４緩衝用フラップ
４７  共有領域
４８、４９  切り取り線
５１、５２  第１及び第２補足緩衝片
５５  押圧緩衝用フラップ
５６  小孔
６１  ギアユニット
６３  回収口シャッター
６５  凹所
７１〜７４  第１乃至第４緩衝部
７５  押圧緩衝部
【図１】
2014231388.tif 000003
【図２】
2014231388.tif 000004
【図３】
2014231388.tif 000005
【図４】
2014231388.tif 000006
【図５】
2014231388.tif 000007
【図６】
2014231388.tif 000008
【図７】
2014231388.tif 000009
【図８】
2014231388.tif 000010
【図９】
2014231388.tif 000011
【図１０】
2014231388.tif 000012
【図１１】
2014231388.tif 000013
【図１２】
2014231388.tif 000014
【図１３】
2014231388.tif 000015
【図１４】
2014231388.tif 000016